Podtech/llm-jp-corpus-v4-ja_patent huggingface dataset:
【誤訳訂正書】
【提出日】令和3年1月8日(2021.1.8)
【誤訳訂正１】
【訂正対象書類名】明細書
【訂正対象項目名】００１６
【訂正方法】変更
【訂正の内容】
【００１６】
燐光体ドメインを形成するための燐光体材料には、活性化剤ドーパントを含む金属塩が含まれる。塩のアニオン（anion：陰イオン）には、酸化物アニオン、窒化物アニオン、酸窒化物アニオン、硫化物アニオン、セレン化物アニオン、ハロゲン化物アニオン、ケイ酸アニオン、及びそれらの組み合わせが含まれる。そのような金属塩の金属には、亜鉛、カドミウム、マンガン、アルミニウム、ケイ素、希土類金属、例えばランタン、セリウム、イットリウム、ストロンチウム、又はそれらの組み合わせが含まれる。活性化剤ドーパントには、銅、マンガン、希土類金属、例えばユーロピウム、ジスプロシウム、ガドリニウム、テルビウム、又はそれらの組み合わせが含まれるが、但し、該活性化剤ドーパントが上記金属と同じ状況では、捕獲状態（三重項状態）が達成されないため、該活性化剤ドーパントは上記金属と同じではない。本明細書で有効な具体的な燐光体ドメインには、実例としてＳｒＡｌ２Ｏ４、ＺｎＳ：Ａｇ、ＺｎＳ：Ｃｕ．Ａｕ．Ａｌ、ＺｎＳ：Ｃｕ．Ａｌ、Ｙ２Ｏ２Ｓ：Ｅｕ、Ｙ２Ｏ３：Ｅｕ及びそれらの組み合わせが含まれる。１つの所与の粒子中に２種以上の燐光体ドメインが存在することで、燐光体の発光の期間、色、燐光体分解の指標、又は燐光強度の少なくとも１つを含む特性が調節されると認識される。
【誤訳訂正２】
【訂正対象書類名】特許請求の範囲
【訂正対象項目名】全文
【訂正方法】変更
【訂正の内容】
【特許請求の範囲】
【請求項１】
粒子の分散体であって、前記粒子のそれぞれが、
１ミクロン〜５０ミクロンの平均ドメインサイズを有する少なくとも１つの強磁性ドメインと、
刺激波長、少なくとも５秒間の残光、及び可視波長発光を有する少なくとも１つの燐光体ドメインと、
前記刺激波長及び前記可視波長発光を透過するポリマー樹脂と、
を含み、前記ポリマー樹脂は、前記少なくとも１つの強磁性ドメイン及び前記少なくとも１つの燐光体ドメインを被覆しており、かつ粒径を定めており、前記ポリマー樹脂の被覆は、被覆の内部ドメインである前記少なくとも１つの強磁性ドメイン及び前記少なくとも１つの燐光体ドメインに固着しており、
前記少なくとも１つの燐光体ドメインは、アニオンとの塩として存在する金属及び活性化剤ドーパントを含み、
前記活性化剤ドーパントは、銅、マンガン、希土類、又はそれらの組み合わせであるが、但し、前記活性化剤ドーパントは、前記金属と同じではない、
粒子の分散体。
【請求項２】
前記ポリマー樹脂は、ポリアミド、メラミン、ラテックス、アクリル樹脂、メタクリル樹脂、ポリビニル樹脂、又はエポキシ樹脂である、請求項１に記載の粒子の分散体。
【請求項３】
前記ポリマー樹脂は、ＵＶ硬化するように適合されている、請求項１に記載の粒子の分散体。
【請求項４】
前記少なくとも１つの強磁性ドメインは、γ−Ｆｅ２Ｏ３、又は式Ｆｅ３Ｏ４を有するマグネタイトを含む、請求項１〜３のいずれか一項に記載の粒子の分散体。
【請求項５】
前記アニオンは、前記金属の酸化物アニオン、窒化物アニオン、酸窒化物アニオン、硫化物アニオン、セレン化物アニオン、ハロゲン化物アニオン、又はケイ酸アニオンである、請求項１に記載の粒子の分散体。
【請求項６】
前記金属は、亜鉛、カドミウム、マンガン、アルミニウム、ケイ素、希土類金属、又はそれらの組み合わせである、請求項１〜５のいずれか一項に記載の粒子の分散体。
【請求項７】
前記粒径は、１ミクロン〜２００ミクロンである、請求項１〜６のいずれか一項に記載の粒子の分散体。
【請求項８】
前記粒径は、４０ミクロン〜１２０ミクロンである、請求項１〜６のいずれか一項に記載の粒子の分散体。
【請求項９】
蛍光性材料を更に含む、請求項１〜８のいずれか一項に記載の粒子の分散体。
【請求項１０】
試験品を非破壊検査する方法であって、
請求項１に記載の粒子の分散体を前記試験品の表面に適用することと、
前記試験品の周りに磁界を誘導することと、
前記試験品の表面を、前記粒子の分散体の燐光を刺激するように適合された入射エネルギーに曝露することと、
次に、前記表面への入射エネルギー曝露を停止することと、
次に、前記入射エネルギー曝露のない状態で、前記試験品の表面上の粒子の分散体の位置を画像形成して、前記試験品を非破壊検査することと、
を含む、方法。
【請求項１１】
前記画像形成は、暗所又は可視光下で行われる、請求項１０に記載の方法。
【請求項１２】
前記入射エネルギー源は、紫外光である、請求項１０に記載の方法。
【請求項１３】
前記入射エネルギー源は、電子線源である、請求項１０に記載の方法。
【請求項１４】
前記入射エネルギー源は可視光であり、かつ前記画像形成は暗所で行われる、請求項１０に記載の方法。
【請求項１５】
前記適用は、乾式で溶剤なしで行われ、かつ前記粒子の分散体は４０ミクロン〜１２０ミクロンの平均粒径を有する、請求項１０に記載の方法。
【請求項１６】
前記適用は、溶剤を用いて噴霧として行われ、かつ前記粒子の分散体は１ミクロン〜６０ミクロンの平均粒径を有する、請求項１０に記載の方法。
【請求項１７】
試験品を非破壊検査するための検査システムであって、
請求項１に記載の粒子の分散体を収容する容積部を有するタンクと、
前記粒子の分散体を前記タンクから前記試験品の表面上に移送するための、前記容積部と流体連通している適用装置と、
前記試験品を磁化するための誘導コイルと、
前記粒子の分散体の燐光を刺激するためのエネルギー源と、
前記粒子の分散体が検査領域において前記エネルギー源により刺激されないように前記エネルギー源から離れている検査領域と、
を備える、検査システム。
【請求項１８】
前記エネルギー源は、前記タンクの容積部に入射するレーザーである、請求項１７に記載の検査システム。
【誤訳訂正書】
【提出日】令和3年3月8日(2021.3.8)
【誤訳訂正１】
【訂正対象書類名】明細書
【訂正対象項目名】００２９
【訂正方法】変更
【訂正の内容】
【００２９】
最後に、ドナープロファイルがユーザによって作成された場合、任意ではあるが、以下の工程も含む。
xiii) 作成義務のある検査室の分析結果を入手した後、入力されたデータを信憑性のあるものとして確証する工程
xiv) ドナープロファイルの詳細データを確証データとしてアップデートする工程
【誤訳訂正書】
【提出日】令和3年7月29日(2021.7.29)
【誤訳訂正１】
【訂正対象書類名】特許請求の範囲
【訂正対象項目名】全文
【訂正方法】変更
【訂正の内容】
【特許請求の範囲】
【請求項１】
患者の心不全を治療するシステムであって、装置は：
近位端及び遠位領域を有するカテーテルであって、前記カテーテルが、患者の鎖骨下静脈内に、又は頸静脈内に挿通されて、前記遠位領域が患者の上大静脈内に留置されるように構成される、前記カテーテルと、
前記カテーテルの前記遠位領域に配置される流動制限部材であって、前記流動制限部材が、選択的に作動状態になって、前記上大静脈を少なくとも部分的に閉塞するように構成される、前記流動制限部材と、
前記カテーテルに操作可能に連結されて前記流動制限部材を間欠的に作動させることにより、前記上大静脈を複数の心周期にわたって少なくとも部分的に閉塞するように構成されるコントローラと、を備え、前記コントローラはプロセッサを含み、前記プロセッサは、
患者の静止時の心拍数に基づいた埋め込み時における前記流動制限部材を作動させることになる所定の流動制限時間区間に対応する格納値を適用し、
患者の血行動態の変動を表わす患者の生理的パラメータに対応する検出情報を受信し、
前記検出情報に基づいて前記流動制限部材の作動を調整するようにプログラムされる、システム。
【請求項２】
前記カテーテルの前記近位端は、患者の外部に延びるように適合され、前記コントローラは、前記コントローラを患者が装着することができるように選択されるサイズ及び重量を有する、請求項１に記載のシステム。
【請求項３】
前記コントローラは更に、前記カテーテルの前記流動制限部材に連結されるように構成される駆動機構を備える、請求項１に記載のシステム。
【請求項４】
更に、データをセンサから受信するように構成され、かつ前記検出情報を前記コントローラの前記プロセッサに供給するように構成されるデータ転送回路を備える、請求項１に記載のシステム。
【請求項５】
カテーテルは１つ以上のセンサを含む、請求項１に記載のシステム。
【請求項６】
前記１つ以上のセンサは、少なくとも１つの血圧センサと、患者の心拍数を検出する電極群と、を含む、請求項５に記載のシステム。
【請求項７】
前記データ転送回路は、データを心拍数モニターから無線で受信するように構成される、請求項４に記載のシステム。
【請求項８】
前記データ転送回路は、生理的データを患者のコンピューティングデバイスと互いに双方向に送受信して患者に対して表示するように構成される、請求項４に記載のシステム。
【請求項９】
前記コントローラは、前記コンピューティングデバイスの携帯電話通信機能を利用して、アラート状態を患者を監視する臨床医に送信するようにプログラムされる、請求項８に記載のシステム。
【請求項１０】
前記流動制限部材は、前記駆動機構に操作用ワイヤを介して連結され、前記駆動機構は、力を前記操作用ワイヤの近位端に加えて、前記操作用ワイヤを後退させて、前記流動制限部材を拡開展開状態に移行させるように構成される、請求項３に記載のシステム。
【請求項１１】
前記流動制限部材は、前記駆動機構により作動すると、倒壊収縮状態から拡開展開状態に移行する、請求項３に記載のシステム。
【請求項１２】
前記流動制限部材は、前記駆動機構により作動すると、倒壊収縮状態から拡開展開状態に移行し、前記流動制限部材は、前記コントローラから操作可能に接続解除される場合に前記倒壊収縮状態に移行するように構成される、請求項３に記載のシステム。
【請求項１３】
前記コントローラは、埋め込まれるように構成される、請求項１に記載のシステム。
【請求項１４】
更に、前記コントローラと電気的に通信し、かつ前記コントローラに電力を供給するように構成される１つ以上の外部電源を備える、請求項１に記載のシステム。
【請求項１５】
前記１つ以上の外部電源は、前記１つ以上の外部電源の電力量が閾値電力量を下回る場合にアラートを発する、請求項１４に記載のシステム。
【誤訳訂正２】
【訂正対象書類名】明細書
【訂正対象項目名】００２２
【訂正方法】変更
【訂正の内容】
【００２２】
本開示の別の態様によれば、ＳＶＣ内に留置されるように構成される流動制限部材を有するカテーテルと、流動制限部材の作動を制御するコントローラと、を備えるシステムが提供される。コントローラをプログラムして、患者の血行動態の変動を表わす入力を受信し、流動制限部材の作動を当該入力に応じて調節することが好ましい。患者の血行動態の変動は、患者の歩行運動により生じ得る。コントローラをカテーテルの埋め込み時にプログラムして、ＳＶＣの完全閉塞または部分閉塞を、患者の静止時の心拍数に基づいた所定数の心周期または所定の時間区間にわたって、保持することができ、この事前設定心周期数または時間区間は、コントローラにより患者の心拍数入力に応じて継続的に調整することができる。コントローラは更に、血行動態、例えば血流速度、血液量、心臓への血液充満圧を含む圧力などを表わす検出パラメータを示す信号を、センサ及び／又は電極から受信することができ、コントローラは、事前設定心周期数または時間区間を、検出パラメータ（群）に応じて継続的に調整することができる。
【誤訳訂正書】
【提出日】令和3年6月15日(2021.6.15)
【誤訳訂正１】
【訂正対象書類名】特許請求の範囲
【訂正対象項目名】全文
【訂正方法】変更
【訂正の内容】
【特許請求の範囲】
【請求項１】
セラミックマトリクス複合体（１０）を付加製造する方法であって、
−  前記セラミックマトリクス複合体用のセラミック繊維（３）および粉末状の母材（２）を提供するステップと、
−  所定の形状に従って、前記母材（２）により形成された粉末床のエネルギービーム（６）の照射により前記セラミックマトリクス複合体のためのセラミックマトリクス材料（５）を層ごとにビルドアップするステップであって、前記セラミック繊維（３）および前記粉末床の接触領域（ＣＲ）において、前記セラミック繊維（３）が部分的にのみ再溶融されるように、前記エネルギービーム（６）のパラメータが局在的に選択されることで、前記母材（２）は再溶融され、固化されおよび前記セラミック繊維（３）に接着接合される、層ごとにビルドアップするステップとを含む方法。
【請求項２】
前記セラミック繊維（３）は、前記照射に先立って前記付加製造のための構築空間（ＢＳ）内に事前配置されている、請求項１に記載の方法。
【請求項３】
前記セラミック繊維（３）は、可動装置により前記付加製造の間に前記粉末床内に配置される、請求項１に記載の方法。
【請求項４】
前記セラミック繊維（３）の厚さ（Ｄ１）は、前記層ごとのビルドアップ用の前記母材（２）の層厚（Ｄ２、４）の半分以上に達する、請求項１から３のいずれか一項に記載の方法。
【請求項５】
前記母材（２）の粒子の直径は、前記セラミック繊維（３）の厚さ（Ｄ１）よりも５から１０倍小さい、請求項１から４のいずれか一項に記載の方法。
【請求項６】
粉末床領域（ＰＲ）から前記接触領域（ＣＲ）への移行における前記エネルギービーム（６）の前記照射のモードは、前記セラミック繊維（３）の材料が部分的にのみ再溶融されるように変更される、請求項１から５のいずれか一項に記載の方法。
【請求項７】
前記粉末床領域（ＰＲ）において、前記エネルギービーム（６）の前記照射が連続波モードで実行され、前記接触領域（ＣＲ）において、前記エネルギービーム（６）の前記照射がパルスモードで実行され、出力、パルス幅、繰り返し率およびパルス形状から選択される照射パラメータの少なくとも１つが適合されている、請求項６に記載の方法。
【請求項８】
前記エネルギービーム（６）の出力または出力密度は、前記粉末床領域（ＰＲ）から前記接触領域（ＣＲ）への移行において低減される、請求項６または７に記載の方法。
【請求項９】
前記セラミック繊維（３）はフィラメント形状を有しており、前記セラミック繊維（３）の直径（Ｄ１）は、層ごとのビルドアップに先立って、酸化物被覆により増大され、それぞれの被覆材料（７）は、前記照射の間に再溶融される、請求項１から８のいずれか一項に記載の方法。
【請求項１０】
前記セラミック繊維（３）および前記母材（２）は、Ｃ／Ｃ、ＳｉＣ／ＳｉＣ、Ａｌ２Ｏ３／Ａｌ２Ｏ３、ＺｒＯ２／ＺｒＯ２またはムライト／ムライトの材料系のような同類のセラミック材料で作られるか、またはそれらを含む、請求項１から９のいずれか一項に記載の方法。
【請求項１１】
前記セラミック繊維（３）および前記母材（２）は、Ｃ／ＳｉＣ、Ａｌ２Ｏ３／ＺｒＯ２の材料系のような異種のセラミック材料で作られるか、またはそれらを含む、請求項１から９のいずれか一項に記載の方法。
【請求項１２】
前記粉末床は、破断および／または応力を防止するために、ＣＯ２レーザーまたはＮｄ：ＹＡＧレーザーなどのレーザー、電子ビームまたは誘導加熱手段により、１５００℃を超える温度まで予熱される、請求項１から１１のいずれか一項に記載の方法。
【請求項１３】
前記セラミックマトリクス複合体は、層ごとのビルドアップ後に、熱間静水圧加圧および／または後浸透によるなど、構造的に後処理されていない、請求項１から１２のいずれか一項に記載の方法。
【請求項１４】
請求項１から１３のいずれか一項に記載の方法に使用される前記付加製造のための装置であって、
ビルドプラットフォーム（１）と、
前記母材（２）の層を供給するための堆積装置と、
照射装置（２０）と、
前記セラミック繊維（３）の前記粉末床の中への配置のための配置装置（３０）とを含み、
前記配置装置は前記照射装置（２０）から独立してさらに移動可能である、前記付加製造のための装置。
【誤訳訂正２】
【訂正対象書類名】明細書
【訂正対象項目名】００１７
【訂正方法】変更
【訂正の内容】
【００１７】
一実施形態では、繊維は、照射またはビルドアップに先立って、付加製造のためのビルドアップ空間内に事前配置される（ｐｒｅ−ｐｏｓｉｔｉｏｎｅｄ）か、または事前に置かれる（ｐｒｅ−ｓｉｔｅｄ）。前記事前配置の配置は、例えば、当業者に周知の任意の手段によって実行され得る。
【誤訳訂正３】
【訂正対象書類名】明細書
【訂正対象項目名】００７６
【訂正方法】変更
【訂正の内容】
【００７６】
図１および図２に示すような説明した配置装置３０の代替として、本発明は、同様に構成要素１０が製造される構築空間ＢＳ内に繊維３が事前配置されるか（ｐｒｅ−ｐｏｓｉｔｉｏｎｅｄ）、または事前に置かれる（ｐｒｅ−ｓｉｔｅｄ）ことで実行され得る。例えば、繊維３は、固化されるマトリックス層内に後ほど適切に配置されるように、構築空間ＢＳ内に固定されるか、または及ばされ得る。
【手続補正書】
【提出日】令和3年1月27日(2021.1.27)
【手続補正１】
【補正対象書類名】特許請求の範囲
【補正対象項目名】全文
【補正方法】変更
【補正の内容】
【特許請求の範囲】
【請求項１】
セメント質バインダー、骨材、無機顔料、水、及び任意選択でコンクリート超可塑剤を含むセメント系混合物のワーカビリティを改善する方法であって、０．５〜５μｍの範囲の重量中央粒径（ｄ５０）を有する微細粉砕炭酸カルシウム（微細ＧＣＣ）を前記混合物に添加することを含み、前記微細ＧＣＣの重量が前記無機顔料重量の５０％〜３００％の範囲である、方法。
【請求項２】
前記微細ＧＣＣの重量が、前記無機顔料重量の６０％〜２８０％の範囲である、請求項１に記載の方法。
【請求項３】
前記微細ＧＣＣの重量が、前記無機顔料重量の７０％〜２５０％の範囲である、請求項１に記載の方法。
【請求項４】
前記微細ＧＣＣが、０．５〜４．９μｍの範囲のｄ５０を有する、請求項１〜３のいずれか一項に記載の方法。
【請求項５】
前記微細ＧＣＣが、０．６〜４．８μｍの範囲のｄ５０を有する、請求項１〜３のいずれか一項に記載の方法。
【請求項６】
前記微細ＧＣＣが、３５０〜４３０ｍｍの範囲のミニコーン試験値、及び最大で約７秒のＶファンネル試験値を前記混合物に提供するために有効な量で添加される、請求項１〜５のいずれかに記載の方法。
【請求項７】
前記ミニコーン試験値が、３６０〜４２０ｍｍの範囲である、請求項６に記載の方法。
【請求項８】
前記混合物が、前記セメント質バインダーの少なくとも２％（ｗ／ｗ）の前記無機顔料を含む、請求項１〜７のいずれかに記載の方法。
【請求項９】
前記混合物が、前記セメント質バインダーの少なくとも３重量％の前記無機顔料を含む、請求項１〜７のいずれかに記載の方法。
【請求項１０】
前記混合物が、前記セメント質バインダーの３０重量％以下の無機顔料を含む、請求項８又は９に記載の方法。
【請求項１１】
前記混合物が、前記セメント質バインダーの２５重量％以下の無機顔料を含む、請求項８又は９に記載の方法。
【請求項１２】
前記無機顔料が、合成又は天然の酸化鉄顔料、酸化クロム顔料、コバルトブルー、二酸化チタン、及びニッケル又はクロムアンチモンチタン顔料からなる群から選択される、請求項１〜１１のいずれかに記載の方法。
【請求項１３】
前記無機顔料が、合成酸化鉄顔料であり、赤色酸化鉄顔料、黒色酸化鉄顔料、黄色酸化鉄顔料及び褐色酸化鉄顔料からなる群から選択される、請求項１２に記載の方法。
【請求項１４】
前記微細ＧＣＣが、微細天然粉砕炭酸カルシウム（微細ＮＧＣＣ）である、請求項１〜１３のいずれかに記載の方法。
【請求項１５】
前記セメント質バインダーが、水硬性セメント、並びに任意選択で、フライアッシュ、高炉スラグ、ポゾラン、シリカフューム、及び焼成粘土からなる群から選択される少なくとも１つの追加のバインダー成分を含む、請求項１〜１４のいずれかに記載の方法。
【請求項１６】
前記水硬性セメントが、ポルトランドセメントである、請求項１５に記載の方法。
【請求項１７】
前記混合物が、５μｍを超え、４０μｍまでの重量中央粒径（ｄ５０）を有する粉砕炭酸カルシウム（ＧＣＣ）をさらに含む、請求項１〜１６のいずれかに記載の方法。
【請求項１８】
前記セメント系混合物を硬化させて、顔料又は微細ＧＣＣのいずれも含有しない相当する参照セメント系製品の圧縮強度の少なくとも９０％である、１日及び／又は２８日の圧縮強度を有するセメント系製品を得る、請求項１〜１７のいずれかに記載の方法。
【請求項１９】
セメント系製品を調製する方法であって、セメント質バインダー、骨材、無機顔料、水、任意選択でコンクリート超可塑剤、及び０．５〜５μｍの範囲の重量中央粒子直径（ｄ５０）を有する微細粉砕炭酸カルシウム（ＧＣＣ）を混合することを含み、前記微細ＧＣＣの重量が前記無機顔料重量の５０％〜３００％の範囲である、方法。
【請求項２０】
セメント質バインダー、骨材、無機顔料、水、任意選択でコンクリート超可塑剤、及び０．５〜５μｍの範囲の重量中央粒径（ｄ５０）を有する微細粉砕炭酸カルシウム（ＧＣＣ）の混合物から調製されたセメント系製品であって、前記微細ＧＣＣの重量は前記無機顔料重量の５０％〜３００％の範囲である、セメント系製品。
【請求項２１】
請求項１９に記載のセメント系製品を調製する方法、又は請求項２０に記載のセメント系製品であって、前記方法又は製品が、請求項２〜１８のいずれかに規定されるものである、方法又は製品。
【手続補正書】
【提出日】令和2年12月22日(2020.12.22)
【手続補正１】
【補正対象書類名】特許請求の範囲
【補正対象項目名】全文
【補正方法】変更
【補正の内容】
【特許請求の範囲】
【請求項１】
疾患または障害を処置するための薬剤の製造におけるポリ核酸分子抱合体の使用であって、
ここで、前記ポリ核酸分子抱合体は、抗体またはその結合フラグメント、および、標的とされたｍＲＮＡ前駆体特異的スプライス調節ポリ核酸部分とを含み、
ここで、前記抗体またはその結合フラグメントは、筋細胞上の細胞表面タンパク質を認識し、および、前記標的とされたｍＲＮＡ前駆体特異的スプライス調節ポリ核酸部分が、ｍＲＮＡ転写産物を生成するために、前記標的とされたｍＲＮＡ前駆体の転写産物においてスプライシング事象を誘発するべく、標的とされた細胞中の標的とされたｍＲＮＡ前駆体の転写産物の挿入、欠失、重複、あるいは改質を誘発し、および、前記ｍＲＮＡ転写産物は、未処理の標的細胞中の同じタンパク質と比較して、修飾されるタンパク質をコードし、それによって、被験体の前記疾患または障害を処置する、
使用。
【請求項２】
前記スプライシング事象がエクソンスキッピングまたはエクソンインクルージョンである、請求項１に記載の使用。
【請求項３】
前記疾患または障害はさらに、前記ｍＲＮＡ前駆体中の１つ以上の突然変異を特徴とするか、あるいは、神経筋疾患、遺伝病、癌、遺伝性疾患、心血管疾患、筋ジストロフィー、もしくはデュシェンヌ型筋ジストロフィーを含む、請求項１または２に記載の使用。
【請求項４】
前記スプライシング事象は、ＤＭＤ遺伝子のエクソン４４、４５、５０、５１、５２、５３、５５、８、２３、３５、あるいは４３のものであるか、またはＰＡＨ、ＭＳＴＮ、あるいはＫ−Ｒａｓ遺伝子のエクソンのものである、請求項１−３のいずれか１つに記載の使用。
【請求項５】
前記ポリ核酸分子抱合体は、式（Ｉ）の構造を含み、
Ａ−Ｘ−Ｂ
式Ｉ
式中、
Ａは前記抗体またはその結合フラグメントを含み、
Ｂはポリヌクレオチドからなり、および、
Ｘは単結合または第１のリンカーからなる、
請求項１−４のいずれか１つに記載の使用。
【請求項６】
前記ポリ核酸分子抱合体は随意に、少なくとも１つの２’修飾ヌクレオチド、少なくとも１つの修飾されたヌクレオチド間結合、あるいは少なくとも１つの逆脱塩基部分を含む、請求項１−５のいずれか１つに記載の使用。
【請求項７】
前記少なくとも１つの２’修飾ヌクレオチドは、モルホリノ、２’−Ｏ−メチル、２’−Ｏ−メトキシエチル（２’−Ｏ−ＭＯＥ）、２’−Ｏ−アミノプロピル、２’−デオキシ、２’−デオキシ−２’−フルオロ、２’−Ｏ−アミノプロピル（２’−Ｏ−ＡＰ）、２’−Ｏ−ジメチルアミノエチル（２’−Ｏ−ＤＭＡＯＥ）、２’−Ｏ−ジメチルアミノプロピル（２’−Ｏ−ＤＭＡＰ）、２’−Ｏ−ジメチルアミノエチルオキシエチル（２’−Ｏ−ＤＭＡＥＯＥ）、２’−Ｏ−Ｎ−メチルアセトアミド（２’−Ｏ−ＮＭＡ）修飾ヌクレオチド、ロックド核酸（ＬＮＡ）、エチレン核酸（ＥＮＡ）、またはペプチド核酸（ＰＮＡ）を含む、請求項６に記載の使用。
【請求項８】
少なくとも１つの逆塩基部分は少なくとも１つの末端である、請求項６または７に記載の使用。
【請求項９】
前記少なくとも１つの修飾されたヌクレオチド間結合は、ホスホロチオエート結合あるいはジチオリン酸結合を含む、請求項６−８のいずれか１つに記載の使用。
【請求項１０】
前記ポリ核酸分子抱合体は、約１：１、２：１、３：１、または４：１の標的とされたｍＲＮＡ前駆体特異的スプライス調節ポリ核酸部分と抗体との比を有する、請求項１−９のいずれか１つに記載の使用。
【請求項１１】
Ｘは単結合またはＣ１−Ｃ６アルキル基である、請求項６−１０のいずれか１つに記載の使用。
【請求項１２】
前記抗体またはその結合フラグメントは、抗トランスフェリン受容体抗体である、請求項１−１１のいずれか１つに記載の使用。
【請求項１３】
前記抗トランスフェリン受容体抗体は、ヒト化抗体またはその結合フラグメント、キメラ抗体またはその結合フラグメント、モノクローナル抗体またはその結合フラグメント、一価Ｆａｂ’、二価Ｆａｂ２、一本鎖可変フラグメント（ｓｃＦｖ）、ダイアボディ、ミニボディ、ナノボディ、単一ドメイン抗体（ｓｄＡｂ）、またはラクダ抗体、あるいはその結合フラグメントを含む、請求項１に記載の使用。
【請求項１４】
標的細胞結合部分と、標的とされたｍＲＮＡ前駆体特異的スプライス調節ポリ核酸部分とを含む、ポリ核酸分子抱合体組成物であって、
ここで、抗体またはその結合フラグメントは、筋細胞上の細胞表面タンパク質を認識し、
ここで、前記標的とされたｍＲＮＡ前駆体特異的スプライス調節ポリ核酸部分は、ＳＥＱ  ＩＤ  ＮＯ：５４−９７２に対して少なくとも６０％、６５％、７０％、７５％、８０％、８５％、９０％、９５％、９６％、９７％、９８％、９９％、あるいは１００％の配列同一性を有する配列を含む、
ポリ核酸分子抱合体組成物。
【請求項１５】
前記ポリ核酸分子抱合体は、
ｄ）式（Ｉ）の構造を含み、
Ａ−Ｘ−Ｂ
式Ｉ
式中、
Ａは抗トランスフェリン受容体抗体を含み、
Ｂはポリヌクレオチドからなり、
および、Ｘは単結合または第１のリンカーからなり；
前記ポリ核酸分子抱合体は、
ｅ）式（ＩＩ）の構造を含み、
Ａ−Ｘ−Ｂ−Ｙ−Ｃ
式ＩＩ
式中、
Ａは抗トランスフェリン受容体抗体を含み、
Ｂはポリヌクレオチドからなり、
Ｃはポリマーからなり、
Ｘは単結合または第１のリンカーからなり、
および、Ｙは単結合または第２のリンカーからなり；または、
前記ポリ核酸分子抱合体は、
ｆ）式（ＩＩＩ）の構造を含み、
Ａ−Ｘ−Ｃ−Ｙ−Ｂ
式ＩＩＩ
式中、
Ａは抗トランスフェリン受容体抗体を含み、
Ｂはポリヌクレオチドからなり、
Ｃはポリマーからなり、
Ｘは単結合または第１のリンカーからなり、
および、Ｙは単結合または第２のリンカーからなる、
請求項１４に記載のポリ核酸分子抱合体組成物。
【請求項１６】
前記ポリ核酸分子抱合体組成物はナノ粒子製剤として製剤される、請求項１４または１５のいずれか１つに記載のポリ核酸分子抱合体組成物。
【請求項１７】
ポリ核酸部分は、ＳＥＱ  ＩＤ  ＮＯ：２２５−２２７、２５２−２６３、２６８−２７２、３５２−４２７、７６８−８２７、９３９−９７２から選択される配列に対して、少なくとも９０％、９５％、９９％、または１００％の配列同一性を含む、請求項１−１３のいずれか１つに記載の使用。
【請求項１８】
前記抱合体は、ｍＲＮＡ転写産物を生成するために、ＤＭＤｍＲＮＡ前駆体の転写産物のエクソンからスプライシングを誘発し、前記ｍＲＮＡ転写産物は切断されたタンパク質をコードする、請求項１−１４のいずれか１つに記載の使用。
【手続補正書】
【提出日】令和2年12月25日(2020.12.25)
【手続補正１】
【補正対象書類名】特許請求の範囲
【補正対象項目名】全文
【補正方法】変更
【補正の内容】
【特許請求の範囲】
【請求項１】
ヒト被験体におけるシェーグレン症候群（ＳＳ）の少なくとも１つの症状の治療において使用するための、アミノ酸配列ＧＹＹＷＳＷＩＲＱＰＰＧＫＧＥＥＷＩＧ（配列番号１）を有するペプチド、その活性フラグメント、その塩、その化学誘導体、その類縁体またはそのコンジュゲートを含む、医薬組成物。
【請求項２】
前記ペプチドが、１９個〜２５個の連続するアミノ酸からなる、請求項１に記載の医薬組成物。
【請求項３】
前記ペプチドの類縁体が、配列番号１において１個〜４個のアミノ酸残基の付加、置換または欠失を含む、請求項１に記載の医薬組成物。
【請求項４】
前記ペプチドが、配列番号１に記載されるアミノ酸配列からなるか、または、
前記活性フラグメントが、
配列番号３−ＹＹＷＳＷＩＲＱＰＰＧＫＧＥＥＷＩＧ；
配列番号４−ＹＷＳＷＩＲＱＰＰＧＫＧＥＥＷＩＧ；
配列番号５−ＧＹＹＷＳＷＩＲＱＰＰＧＫＧＥＥＷＩ；
配列番号６−ＧＹＹＷＳＷＩＲＱＰＰＧＫＧＥＥＷ；および
配列番号７−ＹＹＷＳＷＩＲＱＰＰＧＫＧＥＥＷＩ
からなる群から選択されるか、または、
前記化学誘導体が、前記ペプチドのＣ末端のアミドおよびＮ末端アシル化ペプチドから選択される、請求項１に記載の医薬組成物。
【請求項５】
アミノ酸配列ＧＹＹＷＳＷＩＲＱＰＰＧＫＧＥＥＷＩＧ（配列番号１）を有するペプチド、その活性フラグメント、その塩、その化学誘導体、またはその類縁体と、直接的にまたはリンカーによって前記ペプチドに共有結合された追加分子とのコンジュゲートを含み、前記追加分子が、少なくとも１つの追加のペプチド、ポリペプチド、タンパク質、透過性増強部分および巨大分子担体からなる群から選択される、医薬組成物。
【請求項６】
５０μｇ〜１ｍｇの前記ペプチド、その活性フラグメント、塩、化学誘導体、類縁体またはコンジュゲートを含む、請求項１〜５のいずれか一項に記載の医薬組成物。
【請求項７】
前記ヒト被験体の免疫細胞において、ＳＳと関連する少なくとも１つの遺伝子の発現または活性をモジュレートするのに十分な量での投与のための、請求項１〜６のいずれか一項に記載の医薬組成物。
【請求項８】
少なくとも１つの遺伝子の発現または活性のモジュレーションが、（ｉ）インターロイキン１（ＩＬ−１）、腫瘍壊死因子α（ＴＮＦ−α）、インターフェロン誘導性ダイナミンＧＴＰアーゼ（ＭＸ１）およびＢリンパ球刺激因子（ＢＬｙＳ）からなる群から選択されるサイトカインをコードする少なくとも１つの遺伝子の前記活性または発現をダウンレギュレートすること；ならびに（ｉｉ）フォークヘッドボックスＰ３（ＦＯＸＰ３）、トランスフォーミング増殖因子（ＴＧＦ−β）またはインドールアミン２，３−ジオキシゲナーゼ（ＩＤＯ）の前記活性または発現をアップレギュレートすること、から選択される、請求項７に記載の医薬組成物。
【請求項９】
前記免疫細胞が、末梢血リンパ球（ＰＢＬ）または末梢血単核細胞（ＰＢＭＣ）である、請求項７または８に記載の医薬組成物。
【請求項１０】
前記ＩＬ−１がＩＬ−１βである、請求項７〜９のいずれか一項に記載の医薬組成物。
【請求項１１】
前記少なくとも１つの症状が、ドライアイ、ドライマウス、関節痛、関節腫脹、関節硬直、唾液腺腫脹、皮疹、ドライスキン、腟乾燥、持続性乾性咳嗽および長引く疲労からなる群から選択される、請求項１〜１０のいずれか一項に記載の医薬組成物。
【請求項１２】
前記被験体が、原発性シェーグレン症候群（ｐＳＳ）に罹患しているか、または
前記被験体が、高レベルのＭＸ１遺伝子またはタンパク質発現によって特定される高いｐＳＳの疾患活動に悩まされている、請求項１〜１１のいずれか一項に記載の医薬組成物。
【請求項１３】
ＳＳを患うヒト被験体の免疫細胞において、ＳＳと関連する少なくとも１つの遺伝子の活性または発現のモジュレートにおいて使用するための、配列番号１のペプチド、その活性フラグメント、その塩、その化学誘導体、その類縁体またはそのコンジュゲートを含む医薬組成物。
【請求項１４】
前記被験体の免疫細胞における少なくとも１つの遺伝子の発現または活性のモジュレーションが、（ｉ）ＩＬ−１、ＴＮＦ−α、ＭＸ１およびＢＬｙＳからなる群から選択されるサイトカインをコードする少なくとも１つの遺伝子の前記活性または発現をダウンレギュレートすること；ならびに（ｉｉ）ＦＯＸＰ３、ＴＧＦ−βまたはＩＤＯの前記活性または発現をアップレギュレートすること、から選択されるか、または
前記免疫細胞がＰＢＬまたはＰＢＭＣである、請求項１３に記載の医薬組成物。
【請求項１５】
前記ペプチドが、配列番号１、配列番号３、配列番号４、配列番号５、配列番号６および配列番号７からなる群から選択される、請求項１３または１４に記載の医薬組成物。
【手続補正書】
【提出日】令和2年11月26日(2020.11.26)
【手続補正１】
【補正対象書類名】明細書
【補正対象項目名】０００９
【補正方法】変更
【補正の内容】
【０００９】
末梢神経障害、および急性のまたは慢性の影響をもたらす他の状態に伴う疼痛を軽減するための追加の戦略の必要性が存在し続けている。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  国際公開第２００４／０５２３４７号
（特許文献２）  国際公開第２００６／０４８５０１号
（非特許文献）
（非特許文献１）  ＹＩＮＧ  ＪＩＮ  ＥＴ  ＡＬ，"Ｏｃｕｌａｒ  Ｈｙｐｏｔｅｎｓｉｖｅ  Ｅｆｆｅｃｔｓ  ｏｆ  Ｍｅｄｅｔｏｍｉｄｉｎｅ  ａｎｄ  Ｉｔｓ  Ａｎａｌｏｇｓ"，  ＪＯＵＲＮＡＬ  ＯＦ  ＯＣＵＬＡＲ  ＰＨＡＲＭＡＣＯＬＯＧＹ  ＡＮＤ  ＴＨＥＲＡＰＥＵＴＩＣＳ．，Ｖｏｌ．７，Ｎｏ．４，０１  Ｊａｎｕａｒｙ  １９９１（１９９１−０１−０１），ｐａｇｅ  ２８５−２９６
【手続補正書】
【提出日】令和3年1月7日(2021.1.7)
【手続補正１】
【補正対象書類名】特許請求の範囲
【補正対象項目名】全文
【補正方法】変更
【補正の内容】
【特許請求の範囲】
【請求項１】
（ａ）乾燥微生物と（ｂ）粉末形態のリン酸塩とのブレンド物を含有する組成物であって、前記リン酸塩が、Ｋ2ＨＰＯ4、ＫＨ2ＰＯ4、Ｎａ2ＨＰＯ4、ＮａＨ2ＰＯ4、ＭｇＨＰＯ4、Ｍｇ［Ｈ2ＰＯ4］2、及びこれらの混合物から選択される、上記組成物。
【請求項２】
前記リン酸塩が、Ｋ2ＨＰＯ4、ＫＨ2ＰＯ4、Ｎａ2ＨＰＯ4、ＮａＨ2ＰＯ4、及びこれらの混合物から選択される、請求項１に記載の組成物。
【請求項３】
前記リン酸塩が、Ｋ2ＨＰＯ4、ＫＨ2ＰＯ4、及びこれらの混合物から選択される、請求項１に記載の組成物。
【請求項４】
前記リン酸塩が、ＨＰＯ４２−の塩とＨ２ＰＯ４−の塩との混合物である、請求項１、２、又は３に記載の組成物。
【請求項５】
前記リン酸塩がｐＨ６〜９にｐＨ調整される、請求項１〜４のいずれか１項に記載の組成物。
【請求項６】
前記リン酸塩が６．８〜７．２にｐＨ調整される、請求項１〜５のいずれか１項に記載の組成物。
【請求項７】
前記リン酸塩が微生物及びリン酸塩の総重量を基準として少なくとも５０重量％の量で存在する、請求項１〜６のいずれか１項に記載の組成物。
【請求項８】
前記リン酸塩が微生物及びリン酸塩の総重量を基準として少なくとも６０重量％の量で存在する、請求項１〜７のいずれか１項に記載の組成物。
【請求項９】
前記リン酸塩が微生物及びリン酸塩の総重量を基準として少なくとも８０重量％の量で存在する、請求項１〜８のいずれか１項に記載の組成物。
【請求項１０】
前記微生物が凍結乾燥されている、請求項１〜９のいずれか１項に記載の組成物。
【請求項１１】
前記微生物がプロバイオティクスである、請求項１〜１０のいずれか１項に記載の組成物。
【請求項１２】
前記微生物が、乳酸杆菌（ｌａｃｔｏｂａｃｉｌｌｉ）、ビフィズス菌（ｂｉｆｉｄｏｂａｃｔｅｒｉａ）、サッカロミケス（ｓａｃｃｈａｒｏｍｙｃｅｓ）、及びこれらの混合物から選択される、請求項１〜１１のいずれか１項に記載の組成物。
【請求項１３】
前記微生物が、バシラス・コアギュランス（Ｂａｃｉｌｌｕｓ  ｃｏａｇｕｌａｎｓ）、ビフィドバクテリウム・ロンガム（Ｂｉｆｉｄｏｂａｃｔｅｒｉｕｍ  ｌｏｎｇｕｍ）亜種インファンティス（ｉｎｆａｎｔｉｓ）、ラクトバシラス・アシドフィルス（Ｌａｃｔｏｂａｃｉｌｌｕｓ  ａｃｉｄｏｐｈｉｌｕｓ）、ラクトバシラス・パラカゼイ（Ｌａｃｔｏｂａｃｉｌｌｕｓ  ｐａｒａｃａｓｅｉ）、ラクトバシラス・ジョンソニィ（Ｌａｃｔｏｂａｃｉｌｌｕｓ  ｊｏｈｎｓｏｎｉｉ）、ラクトバシラス・プランタラム（Ｌａｃｔｏｂａｃｉｌｌｕｓ  ｐｌａｎｔａｒｕｍ）、ラクトバシラス・ロイテリ（Ｌａｃｔｏｂａｃｉｌｌｕｓ  ｒｅｕｔｅｒｉ）、ラクトバシラス・ロイテリ・プロテクティス（Ｌａｃｔｏｂａｃｉｌｌｕｓ  ｒｅｕｔｅｒｉ  ｐｒｏｔｅｃｔｉｓ）、ラクトバシラス・ロイテリ・プロデンティス（Ｌａｃｔｏｂａｃｉｌｌｕｓ  ｒｅｕｔｅｒｉ  ｐｒｏｄｅｎｔｉｓ）、サッカロマイセス・ボウラルディ（Ｓａｃｃｈａｒｏｍｙｃｅｓ  ｂｏｕｌａｒｄｉｉ）、ラクトバシラス・ラムノサス（Ｌａｃｔｏｂａｃｉｌｌｕｓ  ｒｈａｍｎｏｓｕｓ）、ラクトバシラス・カゼイ（Ｌａｃｔｏｂａｃｉｌｌｕｓ  ｃａｓｅｉ）、ラクトバシラス・プランタラム（Ｌａｃｔｏｂａｃｉｌｌｕｓ  ｐｌａｎｔａｒｕｍ）、ラクトバシラス・パラカゼイ（Ｌａｃｔｏｂａｃｉｌｌｕｓ  ｐａｒａｃａｓｅｉ）、及びこれらの混合物から選択される、請求項１〜１２のいずれか１項に記載の組成物。
【請求項１４】
前記微生物がラクトバシラス・アシドフィルス（Ｌａｃｔｏｂａｃｉｌｌｕｓ  ａｃｉｄｏｐｈｉｌｕｓ）である、請求項１〜１３のいずれか１項に記載の組成物。
【請求項１５】
請求項１〜１４のいずれか１項に記載の組成物を含有する単位微生物用量。
【請求項１６】
前記組成物を含有するカプセルの形態の、請求項１５に記載の単位微生物用量。
【請求項１７】
前記組成物を含有する小袋の形態の、請求項１５に記載の単位微生物用量。
【請求項１８】
錠剤の形態の、請求項１５に記載の単位プロバイオティクス用量。
【請求項１９】
粉末栄養製剤の形態の、請求項１５に記載の単位プロバイオティクス用量。
【請求項２０】
（ｉ）（ａ）乾燥微生物、及び（ｂ）粉末形態のリン酸塩を準備する工程；並びに
（ｉｉ）前記乾燥微生物と前記粉末形態のリン酸塩とを混合して組成物を得る工程；
を含む、請求項１〜１４のいずれか１項に記載の組成物の調製方法。
【手続補正書】
【提出日】令和3年1月18日(2021.1.18)
【手続補正１】
【補正対象書類名】特許請求の範囲
【補正対象項目名】全文
【補正方法】変更
【補正の内容】
【特許請求の範囲】
【請求項１】
神経保護、神経障害もしくは神経損傷に対して保護することまたはそれらを軽減すること、緑内障を治療すること、加齢黄斑変性または他の遺伝性もしくは後天性網膜変性を治療すること、網膜組織修復を増強すること、先天性免疫細胞の活性化による網膜再生治療を増強すること、あるいは遺伝性もしくは後天性の網膜変性を治療すること、から選択される効果をヒトまたは非ヒト動物の対象に誘導するための医薬組成物において、前記医薬組成物は、前記効果を引き起こすのに有効な量で、前記効果を引き起こす非天然ペプチドを含み、前記医薬組成物は前記対象に投与されるものである、医薬組成物。
【請求項２】
前記非天然ペプチドが、グリシニル−アルギニル−グリシニル−システイン酸−スレオニル−プロリンまたはそのフラグメント、同族体、誘導体、薬学的に許容される塩、水和物、異性体、多量体、環状形態、直鎖状形態、共役形態、誘導体もしくは他の修飾形態を含む、請求項１に記載の医薬組成物。
【請求項３】
前記医薬組成物が以下の式
【化１】
2020505365.tif 000001
を有する有効量の化合物１を含む、請求項２に記載の医薬組成物。
【請求項４】
前記医薬組成物が以下の式
【化２】
2020505365.tif 000002
を有する有効量の化合物２を含む、請求項２に記載の医薬組成物。
【請求項５】
前記医薬組成物は、通常より高い眼内圧による視神経および網膜のうちの少なくとも一方の損傷に対して保護するかまたは同損傷を軽減させるためのものである、請求項１に記載の医薬組成物。
【請求項６】
前記医薬組成物は、緑内障、加齢黄斑変性症または網膜色素変性症のような他の遺伝性若しくは後天性の網膜変性に罹患している対象における視神経および網膜のうちの少なくとも一方の損傷に対する保護、同損傷の軽減あるいは損傷後の機能の回復のためのものである、請求項１に記載の医薬組成物。
【請求項７】
前記医薬組成物は、神経に対して外傷性の損傷または機械的損傷を受けた対象を治療するためのものである、請求項１に記載の医薬組成物。
【請求項８】
前記医薬組成物は、脳、脊髄、または末梢神経系に対して外傷性の損傷または機械的損傷を受けた対象を治療するためのものである、請求項７に記載の医薬組成物。
【請求項９】
前記医薬組成物は、脳への外傷または低酸素性傷害を受けた対象に投与されるものである、請求項１に記載の医薬組成物。
【請求項１０】
前記医薬組成物は、脊髄への外傷または低酸素性傷害を受けた対象に投与されるものである、請求項１に記載の医薬組成物。
【請求項１１】
前記医薬組成物は、眼科的または全身的である、神経障害性または神経変性性の疾患もしくは障害による神経損傷を保護または軽減するためのものである、請求項１に記載の医薬組成物。
【請求項１２】
前記医薬組成物は、心停止、脳卒中、または低酸素性傷害の後の脳または他の神経系の損傷に対して保護するかまたはそれらを減少させるためのものである、請求項１に記載の医薬組成物。
【請求項１３】
前記医薬組成物は、心停止、脳卒中、低酸素性傷害、または外傷の後の脳または他の神経系の損傷の減少後に機能を回復させるためのものである、請求項１に記載の医薬組成物。
【請求項１４】
非滲出型または萎縮型の加齢黄斑変性に罹患したヒト対象または動物対象の視力を改善するための医薬組成物であって、前記医薬組成物は、グリシニル−アルギニル−グリシニル−システイン酸−スレオニル−プロリンを含む有効量の化合物を含み、前記医薬組成物は前記対象に投与されるものである、医薬組成物。
【請求項１５】
前記医薬組成物は硝子体内に投与されるものである、請求項１４に記載の医薬組成物。
【請求項１６】
前記医薬組成物は硝子体内注射によって投与されるものである、請求項１５に記載の医薬組成物。
【請求項１７】
前記化合物は、グリシニル−アルギニル−グリシニル−システイン−スレオニル−プロリン−ＣＯＯＨのみからなる、請求項１４に記載の医薬組成物。
【請求項１８】
前記化合物は、式：
【化３】
2020505365.tif 000003
を有する、請求項１４に記載の医薬組成物。
【請求項１９】
前記化合物は、式：
【化４】
2020505365.tif 000004
を有する、請求項１４に記載の医薬組成物。
【請求項２０】
前記医薬組成物は、網膜下液のエビデンスがなく、かつ抗ＶＥＧＦ剤での治療歴もない対象に投与されるものである、請求項１４に記載の医薬組成物。
【請求項２１】
前記化合物の１ｍｇの用量が硝子体内に投与される、請求項１４に記載の医薬組成物。
【請求項２２】
５０μＬ当たり１．０ｍｇの前記化合物を含む溶液が硝子体内に注射される、請求項１４に記載の医薬組成物。
【手続補正２】
【補正対象書類名】明細書
【補正対象項目名】発明の名称
【補正方法】変更
【補正の内容】
【発明の名称】治療用および神経保護用ペプチドを含む医薬組成物
【手続補正書】
【提出日】令和3年1月18日(2021.1.18)
【手続補正１】
【補正対象書類名】特許請求の範囲
【補正対象項目名】全文
【補正方法】変更
【補正の内容】
【特許請求の範囲】
【請求項１】
がんを有する対象を治療する方法における使用のための、機能不全の腫瘍抗原特異的ＣＤ８＋Ｔ細胞を特異的に標的化する、薬剤。
【請求項２】
前記対象が、固形腫瘍がんに罹患しており、任意に
（ｉ）前記腫瘍が、Ｔ細胞浸潤を許容するが、免疫治療には耐性を有する；または
（ｉｉ）前記腫瘍環境が、機能不全の抗原特異的ＣＤ８＋Ｔ細胞を含む、
請求項１に記載の使用のための薬剤。
【請求項３】
前記方法が前記機能不全の腫瘍抗原特異的ＣＤ８＋Ｔ細胞を抗４−１ＢＢ剤及び／または抗ＬＡＧ−３剤と接触させることを含み、任意に、前記抗４−１ＢＢ剤及び／または抗ＬＡＧ−３剤が、抗体、抗体フラグメント、または抗体模倣分子である、請求項１に記載の使用のための薬剤。
【請求項４】
前記方法が更なる治療剤の共投与を更に含む、請求項１に記載の使用のための薬剤。
【請求項５】
前記更なる治療剤が、化学治療薬または免疫治療剤である、請求項４に記載の使用のための薬剤。
【請求項６】
前記更なる治療剤が、細胞治療、モノクローナル抗体（ｍＡｂ）治療、サイトカイン治療、及びアジュバント治療からなるリストから選択される免疫治療剤であり、任意に
（ｉ）前記免疫治療剤が、抗ＣＴＬＡ−４モノクローナル抗体及び／または抗ＰＤ−Ｌ１モノクローナル抗体からなるリストから選択されるｍＡｂ治療である；または
（ｉｉ）前記免疫治療剤が、樹状細胞治療及びＴ細胞治療からなるリストから選択される細胞治療である、
請求項５に記載の方法。
【請求項７】
前記更なる治療剤が、表２に記載の受容体の１つを標的とする、または前記更なる治療剤が、ＰＤ−１、ＴＩＭ−３、ＯＸ−４０ＩＣＯＳ、ＴＩＧＩＴ、ＣＤ２４４、ＴＮＦＲＳＦ１８、Ｎｒｎ１、Ｎｒｐ１、ＫＬＲＧ１、ＧＭ１５６、ＧＰＮＭＢ、ＧＰＲ６５、ＴＭＥＭ２０５、ＴＭＥＭ１２６Ａ、ＣＲＴＡＭ及び／またはＳｅｍａ７ａを標的とする、請求項４に記載の方法。
【請求項８】
前記方法が、前記機能不全の腫瘍抗原特異的ＣＤ８＋Ｔ細胞を、表２に記載の受容体の１つを標的とする治療剤と接触させることを含む、請求項１に記載の使用のための薬剤。
【請求項９】
前記治療剤が、ＰＤ−１、ＴＩＭ−３、ＯＸ−４０ＩＣＯＳ、ＴＩＧＩＴ、ＣＤ２４４、ＴＮＦＲＳＦ１８、Ｎｒｎ１、Ｎｒｐ１、ＫＬＲＧ１、ＧＭ１５６、ＧＰＮＭＢ、ＧＰＲ６５、ＴＭＥＭ２０５、ＴＭＥＭ１２６Ａ、ＣＲＴＡＭ及び／またはＳｅｍａ７ａを標的とし、任意に、前記治療剤が、
（ｉ）抗Ｎｒｎ１抗体、抗体フラグメント、または抗体模倣分子である；
（ｉｉ）抗Ｓｅｍａ７ａ抗体、抗体フラグメント、または抗体模倣分子である；または
（ｉｉｉ）抗ＣＲＴＡＭ抗体、抗体フラグメント、または抗体模倣分子である、
請求項８に記載の使用のための薬剤。
【請求項１０】
（ａ）抗４−１ＢＢ剤、抗ＬＡＧ−３剤、抗Ｎｒｎ１剤、抗Ｓｅｍａ７ａ剤、及び抗ＣＲＴＡＭ剤のうちの１つ以上と、（ｂ）免疫治療剤と、を含む組成物であって、対象に治療目的で投与されるように配合された、組成物。
【請求項１１】
前記抗４−１ＢＢ剤、抗ＬＡＧ−３剤、抗Ｎｒｎ１剤、抗Ｓｅｍａ７ａ剤、及び／または抗ＣＲＴＡＭ剤が、抗体、抗体フラグメント、または抗体模倣分子である、請求項１０に記載の組成物。
【請求項１２】
（ａ）細胞集団からのＣＤ８＋Ｔ細胞を試験して、前記ＣＤ８＋Ｔ細胞がＬＡＧ−３及び４−１ＢＢを同時発現しているかどうかを判定することと、（ｂ）抗Ｎｒｎ１剤、抗Ｓｅｍａ７ａ剤、及び抗ＣＲＴＡＭ剤を投与することと、を含む、インビトロ方法。
【請求項１３】
前記抗Ｎｒｎ１剤、抗Ｓｅｍａ７ａ剤、及び／または抗ＣＲＴＡＭ剤が、抗体、抗体フラグメント、または抗体模倣分子である、請求項１２に記載の方法。
【請求項１４】
前記細胞を、４−１ＢＢ及びＬＡＧ−３の同時発現について試験することにより機能不全のＴ細胞を特定する方法。
【手続補正書】
【提出日】令和3年1月8日(2021.1.8)
【手続補正１】
【補正対象書類名】特許請求の範囲
【補正対象項目名】全文
【補正方法】変更
【補正の内容】
【特許請求の範囲】
【請求項１】
基地局がオンデマンドシグナリングを送信するようにトリガするための要求情報を送信する送信部と、
前記基地局によって送信される前記オンデマンドシグナリングを受信する受信部と、
前記基地局によって送信される前記オンデマンドシグナリングに応じて、オンデマンド処理を行う処理部と、を備え、
前記送信部は、ランダムアクセスチャネルで前記要求情報を送信し、
前記ランダムアクセスチャネルの時間−周波数領域のリソース及びランダムアクセスプリアンブルの少なくとも１つとオンデマンドシグナリングとの対応関係に従って、対応するランダムアクセスチャネルの時間−周波数領域のリソース及びランダムアクセスプリアンブルの少なくとも１つを利用して、前記要求情報を送信するユーザ装置。
【請求項２】
前記送信部は、メッセージ１（ＭＳＧ１）により前記要求情報を送信する、請求項１に記載のユーザ装置。
【請求項３】
前記送信部は、前記要求情報を上り共有チャネルで送信する場合、メッセージ３（ＭＳＧ３）により前記要求情報を送信する、請求項１に記載のユーザ装置。
【請求項４】
前記受信部は、所定時間ウィンドウ内において前記オンデマンドシグナリングを受信する、請求項１に記載のユーザ装置。
【請求項５】
前記受信部は、１つの時間ウィンドウ内において前記オンデマンドシグナリングを受信できなかった場合、次の時間ウィンドウ内において前記オンデマンドシグナリングを受信する、請求項４に記載のユーザ装置。
【請求項６】
前記受信部は、さらに、前記送信部が前記要求情報を送信する前に、指示子の情報を受信し、
前記処理部は、前記指示子の情報に従って、前記要求情報を送信することで前記オンデマンドシグナリングを受信するか否かを特定する、請求項１に記載のユーザ装置。
【請求項７】
基地局がオンデマンドシグナリングを送信するようにトリガするための要求情報を送信することと、
前記基地局によって送信される前記オンデマンドシグナリングを受信することと、
前記基地局によって送信される前記オンデマンドシグナリングに応じて、オンデマンド処理を行うことと、を含み、
ランダムアクセスチャネルで前記要求情報を送信し、
前記ランダムアクセスチャネルの時間−周波数領域のリソース及びランダムアクセスプリアンブルの少なくとも１つとオンデマンドシグナリングとの対応関係に従って、対応するランダムアクセスチャネルの時間−周波数領域のリソース及びランダムアクセスプリアンブルの少なくとも１つを利用して、前記要求情報を送信する、ユーザ装置における方法。
【請求項８】
ユーザ装置から、オンデマンドシグナリングを送信するようにトリガするための要求情報を受信する受信部と、
前記ユーザ装置がオンデマンド処理を行うための前記オンデマンドシグナリングを送信する送信部と、を備え、
前記受信部は、ランダムアクセスチャネルで前記要求情報を受信し、
前記ランダムアクセスチャネルの時間−周波数領域のリソース及びランダムアクセスプリアンブルの少なくとも１つとオンデマンドシグナリングとの対応関係に従って、対応するランダムアクセスチャネルの時間−周波数領域のリソース及びランダムアクセスプリアンブルの少なくとも１つを利用して送信される、前記要求情報を受信する基地局。
【請求項９】
ユーザ装置と基地局とを有するシステムであって、
前記ユーザ装置は、基地局がオンデマンドシグナリングを送信するようにトリガするための要求情報を送信する送信部と、
前記基地局によって送信される前記オンデマンドシグナリングを受信する受信部と、
前記基地局によって送信される前記オンデマンドシグナリングに応じて、オンデマンド処理を行う処理部と、を備え、
前記送信部は、ランダムアクセスチャネルで前記要求情報を送信し、
前記ランダムアクセスチャネルの時間−周波数領域のリソース及びランダムアクセスプリアンブルの少なくとも１つとオンデマンドシグナリングとの対応関係に従って、対応するランダムアクセスチャネルの時間−周波数領域のリソース及びランダムアクセスプリアンブルの少なくとも１つを利用して、前記要求情報を送信し、
前記基地局は、前記ユーザ装置から、前記要求情報を受信する受信部と、
前記オンデマンドシグナリングを送信する送信部と、を備え、
前記受信部は、前記ランダムアクセスチャネルで前記要求情報を受信し、
前記ランダムアクセスチャネルの時間−周波数領域のリソース及びランダムアクセスプリアンブルの少なくとも１つとオンデマンドシグナリングとの対応関係に従って、対応するランダムアクセスチャネルの時間−周波数領域のリソース及びランダムアクセスプリアンブルの少なくとも１つを利用して送信される、前記要求情報を受信するシステム。
【手続補正２】
【補正対象書類名】明細書
【補正対象項目名】発明の名称
【補正方法】変更
【補正の内容】
【発明の名称】ユーザ装置、方法、基地局及びシステム
【手続補正３】
【補正対象書類名】明細書
【補正対象項目名】０００５
【補正方法】変更
【補正の内容】
【０００５】
本発明の一態様によれば、基地局がオンデマンドシグナリングを送信するようにトリガするための要求情報を送信する送信部と、前記基地局によって送信される前記オンデマンドシグナリングを受信する受信部と、前記基地局によって送信される前記オンデマンドシグナリングに応じて、オンデマンド処理を行う処理部と、を備え、前記送信部は、ランダムアクセスチャネルで前記要求情報を送信し、前記ランダムアクセスチャネルの時間−周波数領域のリソース及びランダムアクセスプリアンブルの少なくとも１つとオンデマンドシグナリングとの対応関係に従って、対応するランダムアクセスチャネルの時間−周波数領域のリソース及びランダムアクセスプリアンブルの少なくとも１つを利用して、前記要求情報を送信するユーザ装置が提供される。